(57)【特許請求の範囲】
【請求項１】
透光性を有する表面部材と、
透光性を有する裏面部材と、
前記表面部材と前記裏面部材との間に配置された、光を反射する材質からなる中間部材と、
前記表面部材と前記中間部材との間に、その受光面を前記表面部材側に向けて配置された、複数の太陽電池素子を電気的に接続した第１の太陽電池素子群と、
前記裏面部材と前記中間部材との間に、その受光面を前記裏面部材側に向けて配置された、複数の太陽電池素子を電気的に接続した第２の太陽電池素子群と、
前記中間部材と、前記第１の太陽電池素子群又は前記第２の太陽電池素子群の間に設けられる熱可塑性樹脂シートと
を備える、太陽電池モジュール。
【請求項２】
前記第１の太陽電池素子群と前記第２の太陽電池素子群とは、いずれも前記複数の太陽電池素子が直列に接続されてなり、前記中間部材又は前記熱可塑性樹脂シートを介して、互いに電気的に絶縁されている請求項１に記載の太陽電池モジュール。
【請求項３】
前記第１の太陽電池素子群を構成する太陽電池素子と、前記第２の太陽電池素子群を構成する太陽電池素子とは、異なる最適動作波長を有することを特徴とする、請求項１又は請求項２に記載の太陽電池モジュール。
【発明の詳細な説明】
【技術分野】
【０００１】
本発明は、太陽電池素子を複数個接続して配置した太陽電池モジュール及びその太陽電池モジュールを用いた太陽光発電装置に関するものである。
【背景技術】
【０００２】
太陽電池素子は、単結晶シリコン基板や多結晶シリコン基板を用いて作製されることが多い。
【０００３】
このため太陽電池素子は物理的衝撃に弱く、また野外に太陽電池素子を取り付けた場合、雨などからこれを保護する必要がある。
【０００４】
また、太陽電池素子一枚では発生する電気出力が小さいため、複数の太陽電池素子を直並列に接続して実用的な電気出力が取り出せるようにする必要がある。
【０００５】
このため複数の太陽電池素子を直並列に接続して、透光性の表面部材と裏面部材との間に設置し、エチレンビニルアセテート共重合体（ＥＶＡ）などを主成分とする充填材で封入して、太陽電池モジュールを作製することが通常行われている。
【０００６】
また、透光性の裏面部材を用いることによって、隣接する太陽電池素子の間の隙間が透光部となり、太陽光を透過させるようにし、採光効果が得られる太陽電池モジュールもある（例えば、特開２００１−１８９４６９号公報参照）。
【０００７】
図８は従来の太陽電池モジュールの構造の一例を示した断面図である。１１は表面部材、１２は受光面側充填材、１３は太陽電池素子、１４は裏面側充填材、１５は裏面部材、１６は太陽電池素子どうしを接続するインナーリードを示す。
【０００８】
太陽電池素子１３は、例えば厚み０．３〜０．４ｍｍ程度、大きさ１００〜１５０ｍｍ角程度の単結晶シリコンや多結晶シリコンで作られている。その両面にはそれぞれ出力を取り出すための受光面側電極（不図示）及び裏面側電極（不図示）が形成される。
【０００９】
それらの電極の形成法としては一般的に低コスト化のため、スクリーン印刷法が用いられ、銀ペーストを太陽電池素子１３の表面に印刷し、焼成することによって焼き付けられる。
【００１０】
そして、太陽電池素子同士を直列接続するときは、図８に示されるように一の太陽電池素子の受光面側電極に取り付けたインナーリード１６を隣接する他の太陽電池素子の非受光面側電極に接続し、これを繰り返すことにより行う。
【００１１】
このインナーリード１６の接続は、半田を加熱して溶融させることにより行っている。一般的にインナーリードは、厚さ０．１〜０．３ｍｍ程度の銅箔の全面を半田被覆したものを用いている。
【００１２】
表面部材１１としては透光性を有する材質、例えばガラスなどが適しており、また、裏面部材１５としてはポリエチレンテレフタレート（ＰＥＴ）などの耐候性樹脂が用いられる。
【００１３】
また、受光面側充填材１２、裏面側充填材１４としては、ＥＶＡやポリビニルブチラール（ＰＶＢ）が主に使用される。
【００１４】
表面部材１１、受光面側充填材１２、インナーリード１６で接続された太陽電池素子１３、裏面側充填材１４、裏面部材１５をこの順で積層したものをラミネーターと呼ばれる装置にセットし、減圧下で加熱しながら押圧し一体化して、太陽電池モジュールが作製される。
【００１５】
従来の太陽電池モジュールでは、単位面積当りの発電出力が小さいので、必要とする電力を得るためには、太陽電池モジュールが大型化し、広い設置面積が必要となる。しかしながら、地面や建物の屋根に設置できる面積は限られていることから、１個当りの太陽電池モジュールから得られる発電量を大きくする必要がある。
【００１６】
そこで、特開２００２−１１１０３５号公報では、両面発電型の太陽電池素子を用いて、表面側から入射した光だけでなく、裏面部材１５から反射した光によっても発電を行い、太陽電池素子一個当りの発電量を高める構成が開示されている。
【００１７】
しかしながら、このような両面発電型の太陽電池素子を作製するには、従来の太陽電池素子に比べ大幅に工程が煩雑となり、また高コストとなる問題があった。
【００１８】
さらに現在、様々な用途に太陽電池が用いられるようになり、より多くの場所において太陽電池モジュールを設置するという需要が増してきた。しかしながら、個々の太陽電池モジュールが設置される場所の日射の状態は、周囲の建造物による影などの存在によって、大きく変わることから、使用する用途に対して、可能な限り必要十分な電力を得るためにも、周囲の環境の悪影響をより受けにくくするとともに、設置する環境に適応した太陽電池モジュールが望まれている。
【００１９】
本発明は、簡易な構造で、両面に入射した光を有効に発電に利用することにより、単位面積あたりの発電効率を向上させるとともに、周囲の環境の悪影響を受けにくく、設置する環境に適応できる太陽電池モジュールを提供することを目的とする。
【００２０】
また、本発明は、前記太陽電池モジュールの各太陽電池素子群の最大出力電力での効率的利用を可能とする太陽光発電装置を提供することを目的とする。
【発明の開示】
【００２１】
本発明の太陽電池モジュールは、透光性を有する表面部材と、透光性を有する裏面部材と、前記表面部材と前記裏面部材との間に配置された、光を反射する材質からなる中間部材と、前記表面部材と前記中間部材との間に、その受光面を前記表面部材側に向けて配置された、複数の片面受光型太陽電池素子を電気的に接続した第１の太陽電池素子群と、前記裏面部材と前記中間部材との間に、その受光面を前記裏面部材側に向けて配置された、複数の片面受光型太陽電池素子を電気的に接続した第２の太陽電池素子群と、前記中間部材と、前記第１の太陽電池素子群又は前記第２の太陽電池素子群の間に設けられる熱可塑性樹脂シートとを備えている。
【００２２】
この構成により、表面側から入射した太陽光を第１の太陽電池素子群により受光し、裏面部材側から入射した太陽光を第２の太陽電池素子群により受光するため、多方面から入射される太陽光をより有効に電力に変換させることができるようになる。
【００２３】
また太陽の仰角の悪影響を受けにくくなるので、設置方向や時間帯によって発電量が変化する問題を抑制することが可能になる。
【００２４】
以上のことから、簡易な構成で、太陽電池モジュールの両面から受光した太陽光を有効に発電に寄与させることができる。
【００２５】
この太陽電池モジュールは、例えば道路脇に設けられる防音壁や転落防止柵、道路標識、公園などに設けられる照明灯やモニュメント、ビルの壁面や屋上、家屋の屋根、また地上などいかなる場所に設置しても周囲の環境から受ける悪影響を少なくして有効にその効果を発揮することができる。
【００２６】
前記第１の太陽電池素子群と前記第２の太陽電池素子群とは、いずれも前記複数の太陽電池素子が直列に接続されてなり、前記中間部材又は前記熱可塑性樹脂シートを介して、互いに電気的に絶縁されているものであることが好ましい。これにより、太陽電池モジュールの表裏それぞれから最大の出力特性を引き出すことができるとともに、第１の太陽電池素子群と第２の太陽電池素子群とを絶縁し、別々に出力を取り出すことによって出力の損失を防ぐことができる。
【００２７】
特に、この太陽電池モジュールを単体で使用するのではなく、複数の太陽電池モジュールを接続し、アレイとした太陽電池システムに使用する場合は、第１の太陽電池素子群は他の太陽電池モジュールの第１の太陽電池素子群と、第２の太陽電池素子群は他の太陽電池モジュールの第２の太陽電池素子群と接続し、最終的にパワーコンディショナに接続して使用することができる。よって第１の太陽電池素子群と第２の太陽電池素子群とから得られる出力を損失なく利用することが可能となり、本発明にかかる太陽電池モジュールの効果を有効に発揮する。
【００２８】
前記裏面部材は、透光性を有する材質である場合は、太陽電池モジュールの裏側からの直達光（モジュール内部の反射、散乱などによらず直接到達した光）の利用を可能にすることができる。このような太陽電池モジュールは、例えば道路脇の防音壁、落下防止柵等の設置向きが限定される上、さまざまな方向を向くことが想定される場所に使用すれば、さらに周囲の環境から受ける悪影響を少なくして、従来の片面受光型太陽電池モジュールでは得られなかった高い出力特性を得ることが可能になる。また、ビルの壁面や屋上などに一定空間をあけて設置すれば、ビルの壁面や屋上によって反射した光を太陽電池モジュールの裏面側から受光し、発電に利用することが可能になる。
【００２９】
本発明の太陽電池モジュールにかかる裏面部材を、透光性を有する材質で構成した場合の中間部材は光を反射する材質であったほうがよい。このようにすることにより、表裏両面から入射した光の透過を防止し、太陽電池素子側へ光を反射させることができるようになるため、太陽電池素子の出力特性を向上させ、高効率の太陽電池モジュールを得ることができるようになる。このようなモジュールは例えば道路脇の防音壁、落下防止柵など両面から直達光を受ける場所に設置する太陽電池モジュールに利用すれば特に有効にその効果を発揮する。
【００３０】
前記第１の太陽電池素子群を構成する太陽電池素子と、前記第２の太陽電池素子群を構成する太陽電池素子とは、異なる最適動作波長を有することが好ましい。
【００３１】
本明細書において、第１の太陽電池ストリングとは、１又は複数の太陽電池モジュールを使用した場合において、それらの太陽電池モジュールの第１の太陽電池素子群どうしを接続したものをいい、第２の太陽電池ストリングとは、１又は複数の太陽電池モジュールを使用した場合において、それらの太陽電池モジュールの第２の太陽電池素子群どうしを接続したものをいう。
【００３２】
電力変換手段は、接続される太陽電池ストリングについて、ＭＰＰＴ制御（Maximum Power Point Tracking最大出力点追従制御）を行い、太陽電池ストリングの最大出力電圧を得るものである。
【００３３】
電圧調整手段の昇圧電圧比率は、電力変換手段の制御電圧である第１の太陽電池ストリングの出力電圧と、第２の太陽電池ストリングから与えられる入力電圧とに基づいて、自動的に調整される。
【発明を実施するための最良の形態】
【００３４】
以下、本発明の実施の形態を、添付図面を参照しながら詳細に説明する。
【００３５】
図１は本発明にかかる太陽電池モジュールの断面構造を示す模式図である。
【００３６】
図１において、１は表面部材、２は受光面側充填材、３は片面受光型の太陽電池素子、４は裏面側充填材、５は裏面部材、６はインナーリードを示す。
【００３７】
表面部材１と裏面部材５との間に、中間部材７が介在している。表面部材１と中間部材７との間には、第１の太陽電池素子群８ａが設置され、受光面側充填材２が封入されている。中間部材７と裏面部材５との間には、第２の太陽電池素子群８ｂが設置され、裏面側充填材４が封入されている。
【００３８】
表面部材１としては、透光性を有する部材が用いられる。また、太陽電池モジュールの強度を確保するため、ガラスや硬質プラスチックなどからなる硬質の部材が一般的に用いられる。
【００３９】
ガラスについては、白板ガラス、強化ガラス、倍強化ガラス、熱線反射ガラスなどが用いられるが、一般的には厚さ３〜５ｍｍ程度の白板強化ガラスが使用される。他方、硬質プラスチックなどの合成樹脂からなる基板を用いた場合には、厚み５ｍｍ程度のものが多く使用される。また、特に強度を必要としなかったり、例えば瓦に貼りつけたりするなど、他の部分で強度を確保できる場合には、ＰＥＴや樹脂など軟質の部材を使用することもある。どちらであっても、太陽電池モジュールに達した光を、太陽電池素子に有効に入射させる必要があるため、光透過性の高い材質を選択したほうがよい。
【００４０】
受光面側充填材２及び裏面側充填材４は、一般的にエチレン−酢酸ビニル共重合体（以下ＥＶＡと略す）から成り、厚さ０．４〜１．０ｍｍ程度のシート状形態のものが用いられる。
【００４１】
これらはラミネート装置により減圧下で加熱加圧を行うことで、融着して他の部材と一体化する。ＥＶＡは、酸化チタンや顔料等を含有させ白色等に着色させることがあるが、着色すると太陽電池素子３に入射される光量が減少し、太陽電池モジュールの発電量が減少するため、透明であるほうが望ましい。
【００４２】
太陽電池素子３は、厚み０．３〜０．４ｍｍ程度、大きさ１００〜１５０ｍｍ角程度の単結晶シリコンや多結晶シリコンなどから成る。この太陽電池素子３の内部にはｎ型領域とｐ型領域があり、ｎ型領域とｐ型領域との界面部分で半導体接合が形成される。そして、その受光面側と裏面側には受光面側電極（不図示）と裏面側電極（不図示）が設けられている。
【００４３】
インナーリード６は太陽電池素子３同士を電気的に接続するものである。その表面全体に２０〜７０μｍ程度の半田を被覆した厚さ１００〜３００μｍ程度の銅箔を、所定の長さに切断し、例えばホットエアーなどの熱溶着により、インナーリード６を太陽電池素子３の電極に貼り付ける。
【００４４】
例えば、太陽電池素子３同士を直列接続するときは、図１に示されるように一の太陽電池素子３の受光面側電極に取り付けたインナーリード６を隣接する他の太陽電池素子３の非受光面側電極に接続し、太陽電池素子群８を作製する。
【００４５】
このようにして太陽電池素子群８を２つ作製し、第１の太陽電池素子群８ａ、第２の太陽電池素子群８ｂとする。
【００４６】
裏面部材５は、太陽電池モジュールの裏面からの水分等の侵入を防ぎ、長期信頼性や絶縁性を確保するために設けるものである。例えばアルミニウム箔をポリフッ化ビニル樹脂（以下ＰＶＦと略す）のシートで挟みこんだり、ＰＥＴをＰＶＦのシートで挟みこんだりした積層シートが一般的に使用される。また、表面部材１として使用するガラスや硬質プラスチックなどからなる透明部材を用いてもよい。
【００４７】
中間部材７は、第１の太陽電池素子群８ａと第２の太陽電池素子群８ｂを絶縁するために設けるものであり、ＥＶＡやＰＥＴ、または裏面部材５として使用する材質などが用いられる。
【００４８】
このような表面部材１、受光面側充填材２、第１の太陽電池素子群８ａ、中間部材７、第２の太陽電池素子群８ｂ、裏面側充填材４、裏面部材５、を積層したものをラミネーターにセットし、減圧下で加熱しながら押圧し一体化することによって、太陽電池モジュールを作製することができる。
【００４９】
なお、図１には示していないが、通常、太陽電池モジュールの裏面には、出力を外部に取り出すための端子箱が設けられ、太陽電池素子を接続したインナーリードの両極性の端子がこの端子箱の中に接続される。また端子箱からは両極性の接続ケーブルが引き出され、この接続ケーブルを他の太陽電池モジュールの接続ケーブルと接続することで、太陽電池モジュール同士を接続し、太陽電池アレイが構成され、用途に対して必要な電力が得られるようになっている。
【００５０】
以上のように構成した本発明の太陽電池モジュールは、透光性を有する表面部材１と、裏面部材５と、前記表面部材１と前記裏面部材５との間に配置された、絶縁体からなる中間部材７と、前記表面部材１と前記中間部材７との間に、その受光面を前記表面部材１側に向けて配置された、複数の太陽電池素子３を電気的に接続した第１の太陽電池素子群８ａと、前記裏面部材５と前記中間部材７との間に、その受光面を前記裏面部材５側に向けて配置された、複数の太陽電池素子３を電気的に接続した第２の太陽電池素子群８ｂと、を備える。
【００５１】
ここで、直列に接続して太陽電池素子群８を構成するための太陽電池素子３としては、ほぼ同等の出力特性を得ることができる同じ出力ランクのものを用いることが望ましい。
【００５２】
このような構造にすることにより、表面側から入射した太陽光を第１の太陽電池素子群８ａにより受光し、裏面部材５側から入射した太陽光を第２の太陽電池素子群８ｂにより受光することができ、太陽光をより有効に電力に変換させることができるようになる。
【００５３】
従来の片面受光の太陽電池モジュールは、太陽電池素子３の受光面を南に向け角度を持たせて設置することにより、太陽光を効率的に受光しようとするものが主であった。
【００５４】
この場合、時間帯によっては太陽の仰角により発電量が極端に減少してしまう。しかし本発明の太陽電池モジュールでは、裏面部材５側から入射した太陽光を受光して発電に利用することができるので、太陽の仰角による悪影響を少なくして設置方向や時間帯による発電量の変化を抑制することが可能になる。
【００５５】
これにより、簡易な方法で太陽電池モジュールの両面から受光した太陽光を有効に発電に寄与させることができる。
【００５６】
本発明にかかる太陽電池モジュールは、このように周囲の環境の悪影響を受けにくくしたので、その設置場所も多岐にわたる。例えば道路脇に設けられる防音壁や転落防止柵、道路標識、公園などに設けられる照明灯やモニュメント、またビルの壁面や屋上、家屋の屋根、また地上などあらゆる場所に設置しても有効にその効果を発揮する。
【００５７】
なお、今まで説明した太陽電池モジュールでは、第１の太陽電池素子群８ａ、第２の太陽電池素子群８ｂを備え、それぞれに入射した光を有効に発電に寄与させることができるが、双方に同じ照度の光が入射するケースはごくまれである。例えば太陽電池モジュールをその面が東西を向くように設置した場合、午前中は東側を向いた面、午後は西側を向いた面の日照量が他方に比べ多くなる。よって太陽電池モジュールの両面で同時に同じ発電量を得ることはない。
【００５８】
通常太陽電池モジュールは、単体で使用する場合を除き、その必要電圧に応じて必要枚数を設定し、その枚数の太陽電池モジュールを直列に接続してインバータに接続することによって、直流電流を交流電流に変換して使用する。
【００５９】
しかし、本発明の太陽電池モジュールの場合、第１の太陽電池素子群８ａと第２の太陽電池素子群８ｂの発電量が同じになることはほとんどないため、これらを直列に接続してしまえば最適動作電流値の違いにより、出力に損失が生じてしまう。
【００６０】
このような場合、第１の太陽電池素子群８ａと第２の太陽電池素子群８ｂを絶縁し、別々に出力を取り出すような接続を採用すると好ましい。これによって、出力の損失を防ぐことができる。
【００６１】
また、前述した本発明の太陽電池モジュールでは、太陽電池モジュールの裏面部材５として、透光性を有する材質とすることが好ましい。このようにすることにより、裏面からの直達光の受光を可能にすることができる。また、太陽電池モジュール外からの反射光を太陽電池モジュールの裏面側から受光し、発電に利用することが可能になる。透光性を有する材質としては例えばＰＥＴやＥＶＡなどの材質や、透明のガラス板や硬質プラスチックなどが使用可能である。
【００６２】
また、前記中間部材７は、光を反射する材質であったほうがよい。このようにすることにより表裏両面から入射した光の透過を防止し、太陽電池素子側へ光を反射させることができるようになるため、太陽電池素子に到達する光を従来よりも増加させることができる。よって、太陽電池素子３の出力特性を向上させ、高効率の太陽電池モジュールを得ることができるようになる。
【００６３】
中間部材７として用いる、光を反射する材質としては、鋼板を白色に着色したものや、鏡面加工したもの、ＰＶＦのシートに反射率の高いアルミナなどを蒸着させたものや、アルミナなどを含有するシートを貼り合わせたものなどを使用することが可能である。
【００６４】
太陽電池モジュールの重量の観点からは軽量な材質を使用したほうがよく、ＰＶＦのシートなどのシート状部材が適している。
【００６５】
また、鋼板などの太陽電池モジュールの強度を確保することのできる硬質の材料を使用すれば、従来、表面部材１で確保していた太陽電池モジュールの強度を、中間部材７で確保することができるようになるため、太陽電池モジュールの太陽電池素子の外側に配置される表面部材１や裏面部材５の厚みを薄くすることが可能になる。
【００６６】
また、中間部材７に、透光性を有する材質を使用することも可能である。このようにすることにより、太陽電池モジュールに入射したものの、太陽電池素子間などの発電に寄与しなかった光を透過させ、例えば本発明にかかる太陽電池モジュールを窓材として使用した場合などは採光が可能になる。また表面部材１側から入射し、第１の太陽電池素子群８ａの発電に寄与しなかった光の一部を、第２の太陽電池素子群８ｂの発電に利用することが可能になる。同様に裏面部材５側から入射した光を第１の太陽電池素子群８ａの発電に利用することが可能になることは言うまでもない。
【００６７】
このときの透光性を有する材質としてはＰＥＴやＥＶＡ、またガラス板やプラスチックなどを使用することが可能であるが、太陽電池モジュールの重量やモジュール中での光の減衰などを考慮すれば軽量で比較的薄い材質を選択することが望ましく、この点からＰＥＴやＥＶＡなどが適している。
【００６８】
また、中間部材７にガラスやプラスチックなどの硬質の材料を使用した場合には、従来表面部材１で確保していた太陽電池モジュールの強度を、中間部材７で確保することができるようになるため、太陽電池モジュールの太陽電池素子の外側に配置される表面部材１や裏面部材５の厚みを薄くすることが可能になる。よって太陽電池素子に到達する光を従来よりも増加させ、太陽電池モジュールの出力特性を向上させることが可能になる。
【００６９】
さらに、前記裏面部材５に、光を反射する材質を利用することも可能である。このようにすることにより、表面部材１側から入射し、第１の太陽電池素子群８ａの発電に寄与せず太陽電池モジュール内を透過した光が裏面部材５で反射し、その一部が第２の太陽電池素子群８ｂの受光面側から入射するので、さらに発電効率を向上させることが可能になる。
【００７０】
このときの光を反射する材質としては、鋼板を白色に着色したものや、鏡面加工したもの、ＰＶＡのシートに反射率の高いアルミナなどを蒸着させたり、アルミナなどを含有するシートを貼り合わせたりしたものなどを使用することが可能である。
【００７１】
また図２に示すように、反射性を有する裏面部材５に凹凸形状をつければ、光を多重反射させるなどして光を有効に閉じこめることができるので、より有効に発電効率を高めることができる。
【００７２】
以上本発明にかかる太陽電池モジュールについて詳細に説明したが、本発明の実施形態は上述の例にのみ限定されるものではなく、本発明の要旨を逸脱しない範囲内において種々変更を加え得ることはもちろんである。
【００７３】
例えば、中間部材７と太陽電池素子群８（第１の太陽電池素子群８ａ、第２の太陽電池素子群８ｂ）との間に、ＥＶＡなどの熱可塑性樹脂シートなどをあらかじめ設けるようにしても構わない。これによって、ラミネーターで加熱したときに、中間部材７と太陽電池素子群８との接着性をさらに高め、信頼性の高い太陽電池モジュールを得ることができる。また、これらのシートがクッション材の役割を果たし、太陽電池素子の割れを防止することができる。特に、中間部材７として、ガラスやプラスチックなどのように、熱可塑性や接着性のない材質を用いる場合に有効である。
【００７４】
また、上述の説明では、第１の太陽電池素子群８ａと第２の太陽電池素子群８ｂにはほぼ同特性の太陽電池素子を使用した例によって説明したが、これに限るものではなく、例えば、最適動作波長の異なる太陽電池素子３を使用することも可能である。このように最適動作波長の異なる太陽電池素子群同士を使用して構成した太陽電池モジュールは、例えば家屋の窓に使用した場合、第１の太陽電池素子群８ａは太陽光により最適に動作する太陽電池素子３を使用し、第２の太陽電池素子群８ｂには室内光により最適に動作する太陽電池素子３を使用するといったことが可能となり、設置環境に極めて適応した構成とすることができる。このような構成としては、例えば、第１の太陽電池素子群８ａとして、バルク型の多結晶もしくは単結晶シリコン太陽電池を使用し、第２の太陽電池素子群８ｂとして、アモルファスシリコン太陽電池を用いればよい。
【００７５】
また、上述の説明に使用した図１，図２では、第１の太陽電池素子群８ａと第２の太陽電池素子群８ｂにおける太陽電池素子の配置は、中間部材７を軸として対称に配置されているように描かれているが、それぞれの太陽電池素子の配置をずらしても構わない。
【００７６】
中間部材７と裏面部材５の両方に透光性を有する材質を使用し、太陽電池モジュールから外部への透過光を、例えば室内に取りこむような、いわゆるライトスルーモジュールとして本発明にかかる太陽電池モジュールを使用する場合には、中間部材７を軸として対称であった方がよいし、太陽電池モジュールの外部への透過光を少なくしたい場合には、第１の太陽電池素子群８ａの隙間を埋めるように第２の太陽電池素子群８ｂの太陽電池素子３を配置すればよい。
【００７７】
また第１の太陽電池素子群８ａに使用する太陽電池素子３の枚数やサイズは、第２の太陽電池素子群８ｂに使用する太陽電池素子３と必ずしも同じでなくても構わない。
【００７８】
さらに、中間部材７と裏面部材５に透光性を有する材質を使用し、裏面部材５の外に光を反射する手段を設け、太陽電池モジュールを通過した光をこの反射する手段によって反射して、その一部を裏側の第２の太陽電池素子群８ｂで受光するようにした太陽電池モジュールであっても、本発明の効果を得ることができる。
【００７９】
また上述の説明では、太陽電池素子として、シリコンを融かして再結晶させて形成した、単結晶太陽電池素子、或いは多結晶太陽電池素子を用いた例について説明したが、これに限るものではなく、シリコンを非結晶状態で基板上に蒸着させるアモルファス太陽電池素子や、その他の化合物半導体素子を用いた太陽電池素子を用いてもよい。
【００８０】
次に、上述のような太陽電池モジュールを用いて、各太陽電池素子群８ａ，８ｂから最大限の発電電力を取り出して、最適な運転制御を行うことが可能な太陽光発電装置について説明する（ＵＳ2004-0211459Ａ参照）。
【００８１】
図３に、本発明の一実施形態にかかる太陽光発電装置２７のブロック図を示す。この太陽光発電装置２７は、次のような構成である。まず、上述した本発明にかかる第１の太陽電池素子群８ａを直列接続させて第１の太陽電池ストリング２１ａが構成され、本発明にかかる第２の太陽電池素子群８ｂを直列接続させて第２の太陽電池ストリング２１ｂが構成されている。そして、これらの太陽電池ストリング２１ａ，２１ｂは、それぞれ接続箱２３に含まれる逆流防止ダイオードＤに接続した後に並列接続されて、各太陽電池ストリング２１ａ，２１ｂの発電電力を電力変換手段であるパワーコンディショナ２４を介して負荷である交流負荷２５や商用電力系統２６に供給する構成となっている。なお、第２の太陽電池ストリング２１ｂは、電圧調整手段２２を介して、第１の太陽電池ストリング２１ａとパワーコンディショナ２４との間に並列接続されている。
【００８２】
なお、太陽電池ストリングとは次のようなものである。まず、太陽電池素子は１つでは０．５Ｖ程度の出力電圧しかないため、電力供給する負荷に適する出力電圧を得るために、複数の太陽電池素子を、例えば直列に接続して高い電圧が得られるようにする。この直列に接続された太陽電池モジュールとしたもの、または、太陽電池素子を複数枚集めて太陽電池素子群としたものを複数接続したものを太陽電池ストリングとする。上述したように、本発明にかかる第１の太陽電池ストリング２１ａは、第１の太陽電池素子群８ａが接続されて構成されており、本発明にかかる第２の太陽電池ストリング２１ｂは、第１の太陽電池素子群８ａとは太陽電池モジュールを挟んで反対側の面に配置された第２の太陽電池素子群８ｂが接続されて構成されている。したがって、第１の太陽電池ストリング２１ａと第２の太陽電池ストリング２１ｂとは、互いに日照状態などが異なるため、多くの場合で発電能力が互いに異なり、さらにこれらの発電能力の大小関係は時間帯によっても異なる。また、上述したように、第１の太陽電池素子群８ａと第２の太陽電池素子群８ｂとで、最適動作波長の異なる太陽電池素子を使用した場合など、発電能力、出力電圧などが相互に異なる。
【００８３】
パワーコンディショナ２４は、各太陽電池ストリング２１ａ，２１ｂから出力される直流電力を交流電力に変換する電力変換手段であって、各太陽電池ストリングから与えられる直流電力が最大となるように、与えられる電圧を調整する。例えば、パワーコンディショナ２４は、第１の太陽電池ストリング２１ａから与えられる電力が最大となる直流電圧が与えられるように調整する。
【００８４】
接続箱２３は、各太陽電池ストリング２１ａ，２１ｂを並列に接続し、各太陽電池ストリング２１ａ，２１ｂから出力される出力電力を加算して、パワーコンディショナ２４に与える。また接続箱２３は、一方の太陽電池ストリングからの電流が他方の太陽電池ストリングに逆流することを防止するために、ストリングごとに逆流防止ダイオードＤがそれぞれ設けられる。逆流防止ダイオードＤは、ストリングを並列に接続する経路のうち、その接続接点よりもストリング側にそれぞれ介在される。
【００８５】
電圧調整手段２２は、第２の太陽電池ストリング２１ｂと接続箱２３とを電気的に接続する経路に介在され、逆流防止ダイオードＤよりも第２の太陽電池ストリング２１ｂ側に設けられる。電圧調整手段２２は、第２の太陽電池ストリング２１ｂから与えられる直流電力が最大となるように与えられる直流電圧を調整し、調整した直流電圧を昇圧して、昇圧した電圧を、接続箱２３を介してパワーコンディショナ２４に与える。
【００８６】
電流を増加させるためには、上述したように各太陽電池ストリングを並列に接続すればよいが、各ストリングの出力電圧が異なるものを並列接続すると、後述するように最大出力電力点が各ストリングごとに異なった点に位置するので、システムとしての最大出力電力が得られない。そこで、電圧調整手段２２によって並列接続される各太陽電池ストリングの出力電圧を揃えるようにすることが望ましい。
【００８７】
また太陽電池ストリングは、パワーコンディショナ２４が効率良く電力変換できる電圧及び電流となるように、あらかじめ定められる標準数の太陽電池素子が接続されることが望ましい。なお、本発明の実施の形態では、太陽電池素子が直列に接続されて、太陽電池ストリングを構成するが、太陽電池素子が直列及び並列に接続されて、太陽電池ストリングが構成されてもよい。
【００８８】
通常、１つの太陽電池ストリングの出力電圧が低下すると、電圧の低いストリングに他の高い電圧のストリングからの電流が回り込むのを阻止するため、各太陽電池ストリングの出力は、逆流防止ダイオードＤを介して並列接続される。第２の太陽電池ストリング２１ｂの出力電圧が第１の太陽電池ストリング２１ａよりも低い場合、第２の太陽電池ストリング２１ｂをそのまま第１の太陽電池ストリング２１ａと並列に接続すると、第２の太陽電池ストリング２１ｂからの出力電力は電圧不足のため、出力として加算されなくなる。そこで電圧調整手段２２により第２の太陽電池ストリング２１ｂの出力電圧を昇圧して第１の太陽電池ストリング２１ａの出力電圧に合わせるようにする。
【００８９】
また、第２の太陽電池ストリング２１ｂの出力電圧が第１の太陽電池ストリング２１ａよりも高い場合は、第１の太陽電池ストリング２１ａの出力が加算されなくなるのを防止するため、第２ストリング２１ｂの出力電圧を降圧して第１の太陽電池ストリング２１ａの出力電圧に電圧を合わせるようにする。
【００９０】
このように電圧調整手段２２には昇圧型と降圧型、極性逆転型があり、主にインダクタンスとコンデンサを使用してスイッチング制御をするスイッチングレギュレータが好適である。
【００９１】
以上のようにして集められた電力はパワーコンディショナ２４に与えられ、パワーコンディショナ２４によって、直流電力を交流電力に変換して、電灯やモーター機器などの交流負荷２５で利用可能となるように交流負荷２５に同期した電圧及び電流位相に変換する。
【００９２】
例えば、電力変換の際に、交流負荷２５で利用できるだけの独立電源としての電力供給の他に、保安機器などと電力変換機構を組み合わせて電力会社から送電される商用電力系統２６と接続し、電力売買できるようにしてもよい。
【００９３】
なお、図３において、１つの第１の太陽電池ストリング２１ａと１つの第２の太陽電池ストリング２１ｂのみが示されているが、さらに多くの太陽電池ストリングが含まれ得ることは言うまでもない。ただし、この太陽光発電装置２７は、第１の太陽電池ストリング２１ａが複数含まれる場合は、各ストリングごとの太陽電池素子の直列に接続される枚数は同数もしくは近似値、例えば±１０％程度の許容度を満足することが望ましい。なお、第２の太陽電池ストリング２１ｂが複数接続される場合は、第２の太陽電池ストリングごとの太陽電池素子の直列に接続される枚数は同数でなくてもよい。
【００９４】
図４は、第１及び第２の太陽電池ストリングの出力特性を示すグラフである。
【００９５】
図４において、発電能力が異なる２つの太陽電池ストリング２１ａ，２１ｂを本発明にかかる電圧調整手段２２を介さずに並列接続した場合の出力電力の状態を説明する。
【００９６】
グラフ中の出力電力曲線Ｌは、第１の太陽電池ストリング２１ａからの出力電力、出力電力曲線Ｓは、第２の太陽電池ストリング２１ｂからの出力電力を表わしている。出力電力曲線Ｌと出力電力曲線Ｓを並列接続によって加算すると、出力電力曲線（Ｌ＋Ｓ）となる。各太陽電池ストリング２１ａ，２１ｂが発電しているその時々において最も出力が高い発電電力点である最大出力動作点は図４に（α２＋β１）で表される。
【００９７】
ところが、このような電圧の異なる第１の太陽電池ストリング２１ａと、第２の太陽電池ストリング２１ｂとを並列接続した場合の最大出力動作点（α２＋β１）における電力値Ｐ（１）は、第２の太陽電池ストリング２１ｂの最大出力動作点β１における電力値Ｐ（Ｓ）の２倍程度にしかならない。したがって、第１の太陽電池ストリング２１ａの最大出力動作点α１の電力値Ｐ（Ｌ）との加算（α１＋β１）にはならず、（α２−α１）だけ電力損失が生じることになる。
【００９８】
また、出力電力曲線（Ｌ＋Ｓ）には最大出力動作点（α２＋β１）の裾野に２番目の出力動作点α１が生じることになり、最大出力動作点（α２＋β１）と前記出力動作点α１との間に電力の谷間Ｖが生じるため、パワーコンディショナ２４が、後述するＭＰＰＴ制御（最大出力点追従制御）において、谷間Ｖを最大出力動作点の反対側の斜面と誤判断し、出力動作点α１を最大出力動作点として追従動作を行なう問題が生じる。このように従来の太陽光発電装置では、最大出力を得られないばかりか、図４に示すように動作電圧が出力電力曲線Ｌの最大出力動作点α１から求められる場合は、第１の太陽電池ストリング２１ａのみの電力Ｐしか利用できないという問題がある。
【００９９】
一方、本発明の太陽光発電装置２７における出力電力曲線を図５を用いて説明する。
【０１００】
出力電力曲線Ｌは、第１の太陽電池ストリング２１ａからの出力電力を表し、出力電力曲線Ｓｃは、第２の太陽電池ストリング２１ｂからの出力電圧を電圧調整手段２２で昇圧した後の出力電力を表わしている。
【０１０１】
グラフからわかるように、電圧調整手段２２によって昇圧された第２の太陽電池ストリング２１ｂの最大出力動作点βｃ１の電圧値Ｖｍは、第１の太陽電池ストリング２１ａの最大出力動作点α１の最適電圧値ＶＬと一致している。
【０１０２】
したがって各太陽電池ストリング２１ａ，２１ｂが並列接続された場合、出力電力曲線Ｌによって表される第１の太陽電池ストリング２１ａからの出力電力と、出力電力曲線Ｓｃによって表される第２の太陽電池ストリング２１ｂからの出力電力とを合算すれば、出力電力曲線Ｌと出力電力曲線Ｓｃの最大値が足し合わされた最大出力電力曲線（Ｌ＋Ｓｃ）を得ることができる。
【０１０３】
これによって最大出力動作点（α１＋βｃ１）の裾野には２番目の出力動作点が生じることがなく、また、各太陽電池ストリング２１ａ，２１ｂを並列接続した場合の最大出力動作点（α１＋βｃ１）の電力値Ｐ（２）は、第２の太陽電池ストリング２１ｂの電力値Ｐ（Ｓｃ）と第１の太陽電池ストリング２１ａの出力動作点α１の電力値Ｐ（Ｌ）との加算とすることができる。また、パワーコンディショナ２４が、最大出力電力点（α１＋βｃ１）を容易に検知することが可能となる。
【０１０４】
このように、本発明による太陽光発電装置２７においては、電圧調整手段２２を、第１の太陽電池ストリング２１ａと逆流防止ダイオードＤとの間に設けることによって、出力電圧の異なる太陽電池ストリングを、単に並列接続した場合に比べて、より高い最大出力電力値Ｐ（２）を得ることができ、その最大出力電力をパワーコンディショナ２４に与えることができる。また、このような電圧調整手段２２は、第２の太陽電池ストリング２１ｂと接続箱２３とを電気的に接続する経路に対して、容易に着脱可能とすることが望ましい。このようにすれば、例えば、太陽電池モジュールの増設により、第２の太陽電池ストリング２１ｂを第１の太陽電池ストリング２１ａに変更することができる場合などに、電圧調整手段２２を取り外すことができる。
【０１０５】
次に、電圧調整手段２２について説明する。
【０１０６】
図６は、電圧調整手段２２の詳細を示すブロック図である。図６に示すように、電圧調整手段２２は、外部からのサージ電圧や静電気から回路を保護する入力ＥＭＩ（電波雑音干渉）フィルタ１２１、出力ＥＭＩフィルタ１２５、第２の太陽電池ストリング２１ｂの出力電力から電圧調整手段全体を駆動させる電源を得るための電源部１２２、入力側及び出力側の電圧状態を検出するとともに、第２の太陽電池ストリング２１ｂの最大出力動作点β１を検出する制御部１２３、制御部１２３によって制御され第２の太陽電池ストリング２１ｂから出力される直流電圧を昇圧する昇圧部２４とを含んで構成されている。
【０１０７】
この電圧調整手段２２の昇圧制御動作について説明する。
【０１０８】
図７は、図６の制御部１２３の昇圧制御動作を示すフローチャートである。
【０１０９】
まず、制御部１２３は、動作スタートで、電源部１２２から駆動用電圧が与えられて、昇圧部１２４を制御可能な状態となる。ステップＳ１において昇圧制御動作を開始する。ステップＳ１では、制御部１２３は、最大電力追従制御する。すなわち、制御部１２３は、昇圧比を変更して第２の太陽電池ストリング２１ｂから出力される直流電流を増減して、その直流電圧を変化させる。そして、ステップＳ２に進む。ステップＳ２では、変化時の第２の太陽電池ストリング２１ｂから出力される直流電力を順次計測する。そして、直流電流が最大となる動作点を検出する。すなわち、図４に示すような、第２の太陽電池ストリング２１ｂから出力される電力が最大となる最適電圧値Ｖｓを検出する。そして、動作を終了する。
【０１１０】
太陽電池ストリングは、日射量の変化とともに短絡電流が変化し、温度の変化とともに開放電圧が変化する。したがって太陽電池ストリングから出力される直流電力が時々刻々変動するので、常に最大電力となる動作点を検出する必要がある。その動作は例えば、次のように行われる。
【０１１１】
制御部１２３は、集積回路などによって実現される演算回路（不図示）を有する。演算回路は、第２の太陽電池ストリング２１ｂから出力されて与えられる直流電圧と直流電流とを検出し、その直流電力を演算する。次に、演算回路は、第２の太陽電池ストリング２１ｂから与えられる直流電圧を、１ステップ分となるあらかじめ定める電圧値を変化させるようにし、その時の直流電力を再び演算する。例えば、演算回路は、検出開始時に微小な出力電流が第２の太陽電池ストリング２１ｂから与えられるように設定する。演算回路は、現在の直流電力と前回の直流電力とを比較し、現在の直流電力が前回の直流電力に対して増加傾向にあるときは、現在の直流電圧をさらに１ステップ分低くなるように、第２の太陽電池ストリング２１ｂから与えられる直流電圧を低下させる。また現在の直流電力が、前回の直流電力に対して減少傾向にあるときは、現在の直流電圧をさらに１ステップ分高くなるように、第２の太陽電池ストリング２１ｂから与えられる直流電圧を上昇させる。
【０１１２】
このような動作を繰り返し行い、与えられる直流電力が最大となる電圧と電流を自動的に検出する。この動作が常時行われているために、太陽光が雲などで遮られたり、天候が変化したりする場合であっても、第２の太陽電池ストリング２１ｂから与えられる電力を最大点で動作させるべく、自動的に追従させることができる。このようにして第２の太陽電池ストリング２１ｂから与えられる電力が最大となる最適電圧値Ｖｓを求める。
【０１１３】
パワーコンディショナ２４によって、電圧調整手段２２の負荷は、第１の太陽電池ストリング２１ａから出力される電力が最大となる電圧に調整されている。例えば、パワーコンディショナ２４に第１の太陽電池ストリング２１ａから与えられる電圧が３００Ｖに設定されている場合、電圧調整手段２２から出力される電圧が３００Ｖ以上であっても、３００Ｖに引き下げられた電圧が電圧調整手段２２からパワーコンディショナ２４に与えられる。
【０１１４】
このように電圧調整手段２２から出力される電圧が引き下げられることによって、第２の太陽電池ストリング２１ｂから電圧調整手段２２に与えられる直流電圧もまた変化する。電圧調整手段２２はＭＰＰＴ制御によって、この変化した直流電圧に基づいて最大電力が与えられるように、第２の太陽電池ストリング２１ｂから与えられる直流電圧を変更して設定し直す。これによって、電圧調整手段２２は、パワーコンディショナ２４の変換電圧値Ｖｍで出力した上で、最大となる電力が第２の太陽電池ストリング２１ｂから与えられるように、第２の太陽電池ストリング２１ｂから与えられる入力電圧を設定することができる。
【０１１５】
なお、上述の例で示した電圧調整手段２２は、昇圧型の場合で説明したが、降圧型、極性逆転型であっても、同様の制御によって所望の結果を得ることができることは言うまでもない。また、このような電圧調整手段２２は、本発明の一例示であって、上述したのと同様な機能を有すれば、他の構成であってもよい。
【０１１６】
パワーコンディショナ２４は、例えばトランスレス方式が用いられ、昇圧チョッパ回路とＰＭＷインバータ回路と、制御回路とを含んで実現される。第１の太陽電池ストリング２１ａから与えられる直流電力及び電圧調整手段２２から与えられる直流電力は、接続箱２３で合計される。その合計電力がパワーコンディショナ２４に与えられる。昇圧チョッパ回路は、接続箱２３から直流電圧が与えられ、与えられた直流電圧を昇圧して、インバータ回路に与える。インバータ回路は、与えられた直流電圧を交流電圧に変換し、変換した交流電圧を出力する。また、制御回路は、最大電力追従制御を行い、接続箱２３から与えられる電力が最大となる変換電圧値Ｖｍとなるように、パワーコンディショナ２４から出力される出力電流を調整する。またパワーコンディショナ２４は、変換電圧値Ｖｍの増減に応じて、与えられる直流電力を交流電力に変換するようにインバータ回路をＰＷＭ制御する。その結果、パワーコンディショナから出力される出力電流を変化させて、接続箱２３から与えられる電力が最大となる動作点を検出する。
【０１１７】
このようなパワーコンディショナは、本発明の一例示であって、最大電力追従制御を行うとともに、直流を交流に変換可能な機能を有すれば、他の構成であってもよい。
【０１１８】
ところで、第２の太陽電池ストリング２１ｂよりも、第１の太陽電池ストリング２１ａから先に、接続箱２３を介して電圧が与えられると、パワーコンディショナ２４は、第１の太陽電池ストリング２１ａの最適電圧値ＶＬが、パワーコンディショナ２４に与えられるように調整する。すなわち変換電圧値Ｖｍが第１の太陽電池ストリング２１ａの最適電圧値ＶＬと一致する。
【０１１９】
この状態で、第２の太陽電池ストリング２１ｂから接続箱２３を介して電圧が与えられる場合、電圧調整手段２２によって、第２の太陽電池ストリング２１ｂの最適電圧値Ｖｓが変換電圧値Ｖｍと等しくなるように昇圧された直流電圧が、パワーコンディショナ２４に与えられる。変換電圧値Ｖｍは、第１の太陽電池ストリング２１ａの最適電圧値ＶＬと同じであるので、パワーコンディショナ２４には、第１の太陽電池ストリング２１ａの最適電圧値ＶＬと第２の太陽電池ストリング２１ｂの最適電圧値Ｖｓが第１の太陽電池ストリング２１ａの電圧まで昇圧された電圧とがともに与えられる。すなわちパワーコンディショナ２４は、図５に示す最大直流電力Ｐ（２）で、交流電力に変換することができる。
【０１２０】
このように、電圧調整手段２２は、制御部１２３により太陽電池のその時々の最大出力となる動作点を検出・追従して発電効率を向上させるＭＰＰＴ制御を行ない、接続される第２の太陽電池ストリング２１ｂの最大出力動作点β１で動作することが可能であり、よって接続される第２の太陽電池ストリング２１ｂの最大出力電力を得ることができる。
【０１２１】
また、電圧調整手段２２の出力側の電圧はフリー、すなわち出力電圧が制御不要となり、パワーコンディショナ２４の制御電圧である第１の太陽電池ストリング２１ａの出力電圧と等しくなる。このようにして決定される第２の太陽電池ストリング２１ｂから与えられる入力電圧と、その入力電圧を昇圧してパワーコンディショナ２４に与える出力電圧との比である昇圧比は自動的に調整されることとなる。すなわち設置時の昇圧比の設定が不要であり、設置工数の削減が可能で、なおかつ誤設定による動作不良を無くすことができる。
【０１２２】
なお、本発明のように太陽電池ストリングごとの設置方位が異なるような場合、太陽電池ストリングによって構成される太陽電池モジュールへの日射条件及び温度条件の違いから、各太陽電池ストリングとしての最大出力を得るための動作点には差が生じることがある。しかしながら、電圧調整手段２２のＭＰＰＴ制御機能により、各太陽電池ストリングの最大出力動作点を一致させ、その最大出力動作点で動作が可能となるため真の最大出力電力、すなわち太陽電池の出力特性においてズレのない最大電力を得ることができるので、出力電力の損失を少なくしてより高い出力電力を得ることができるので、出力電力の損失を少なくして、より高い出力電力を得ることができる。
【０１２３】
また、電圧調整手段２２自身に接続されている第２の太陽電池ストリング２１ｂからのエネルギーをその駆動エネルギーとして利用するようにしてもよく、これによって、電圧調整手段２２は第２の太陽電池ストリング２１ｂが動作する昼間の間だけそれと同時に動作し、夜間においては自動的に停止されることになり、余計な電力消費が生じないようにすることができる。
【０１２４】
パワーコンディショナ２４及び電圧調整手段２２の各制御におけるフィードバックの時間は、任意に設定することができ、例えば数秒〜数十秒となるようにプログラミングされる。これによって、日射量や温度が変化した場合であっても、各太陽電池ストリングの最大電力で交流電力に変換することができる。
【０１２５】
また必要な電力が大きい場合、パワーコンディショナ２４を並列に接続する場合がある。例えば、パワーコンディショナ２４の最大出力が５ｋＷである場合、６ｋＷの出力電圧を得るためには、５ｋＷの電力を出力可能な第１のパワーコンディショナ２４と１ｋＷの電力を出力可能な第２のパワーコンディショナ２４とが並列に接続される。または３ｋＷの電力を出力可能な第１のパワーコンディショナ２４と３ｋＷの電力を出力可能な第２のパワーコンディショナ２４とが並列に接続されてもよい。
【０１２６】
パワーコンディショナ２４は、最適出力に調整した出力電圧及びその位相を商用電源に合わせて系統連系させる機能を有する。各パワーコンディショナ同士が並列に接続される場合であって、パワーコンディショナ２４の入力側に、それぞれ異なる発電能力を有する太陽電池ストリングが接続される場合には、前記電圧調整手段２２が設けられることによって、より発電能力を大きくすることができる。
【図面の簡単な説明】
【０１２７】
【図１】本発明にかかる太陽電池モジュールの一実施形態を示す断面図である。
【図２】本発明にかかる太陽電池モジュールの他の実施形態を示す断面図である。
【図３】本発明にかかる太陽光発電装置の一実施形態を模式的に説明するためのブロック図である。
【図４】従来例における、出力能力の異なる２つの太陽電池ストリングから出力される発電電力の関係と、パワーコンディショナに与えられる電圧との関係を表わすグラフである。
【図５】本発明における、出力能力の異なる２つの太陽電池ストリングから出力される発電電力の関係と、パワーコンディショナに与えられる電圧との関係を表わすグラフである。
【図６】図３の太陽光発電装置に含まれる電圧調整手段の一例を模式的に示すブロック図である。
【図７】制御部の昇圧制御動作を示すフローチャートである。
【図８】従来の太陽電池モジュールを示す断面図である。
【符号の説明】
【０１２８】
１  表面部材
５  裏面部材
７  中間部材
８ａ  第１の太陽電池素子群
８ｂ  第２の太陽電池素子群
【図１】
0004213718.tif 000002
【図２】
0004213718.tif 000003
【図３】
0004213718.tif 000004
【図４】
0004213718.tif 000005
【図５】
0004213718.tif 000006
【図６】
0004213718.tif 000007
【図７】
0004213718.tif 000008
【図８】
0004213718.tif 000009